(57)【要約】【課題】通信品質の劣化を抑えた基地局無線装置、移動体通信システム、及び基地局無線装置の制御方法を提供する。【解決手段】発着呼及び呼接続を監視することにより、成功率を監視することができ、成功率が低下している潜在的なカードを検出して強制的にＡＬＭ状態に制御することができるので、通信品質の劣化を抑えることができる。【選択図】図１
2008227618.tif 000002
【特許請求の範囲】
【請求項１】
移動体通信システムに用いられる基地局無線装置において、発着呼及び呼接続を監視する手段を備えたことを特徴とする基地局無線装置。
【請求項２】
発着呼若しくは呼接続の成功率が劣化したカードを強制的にＡＬＭ状態に制御する手段を備えたことを特徴とする請求項１記載の基地局無線装置。
【請求項３】
強制的にＡＬＭ状態に制御するとき上位局に報告する手段を備えたことを特徴とする請求項１または２記載の基地局無線装置。
【請求項４】
移動体通信システムに用いられる基地局無線装置において、カード若しくはモジュールが故障してもＡＬＭ警報を発しない潜在的ＡＬＭの場合、発着呼及び呼処理の成功率を監視し、該当するカード若しくはモジュールに対し強制的にＡＬＭ状態に制御して使用中止にすることにより通信品質を劣化させないようにする手段を備えたことを特徴とする基地局無線装置。
【請求項５】
移動局無線装置と、該移動局無線装置と通信を行う基地局無線装置とを備えた移動体通信システムにおいて、前記基地局無線装置は、発着呼及び呼接続を監視する手段を備えたことを特徴とする移動体通信システム。
【請求項６】
前記基地局無線装置は、発着呼若しくは呼接続の成功率が劣化したカードを強制的にＡＬＭ状態に制御する手段を備えたことを特徴とする請求項５記載の移動体通信システム。
【請求項７】
強制的にＡＬＭ状態に制御するとき上位局に報告する手段を備えたことを特徴とする請求項５または６記載の移動体通信システム。
【請求項８】
移動局無線装置と、該移動局無線装置と通信を行う移動体通信システムにおいて、前記基地局無線装置は、カード若しくはモジュールが故障してもＡＬＭ警報を発しない潜在的ＡＬＭの場合、発着呼及び呼処理の成功率を監視し、該当するカード若しくはモジュールに対し強制的にＡＬＭ状態に制御して使用中止にすることにより通信品質を劣化させないようにする手段を備えたことを特徴とする移動体通信システム。
【請求項９】
移動体通信システムに用いられる基地局無線装置の制御方法において、発着呼及び呼接続を監視することを特徴とする基地局無線装置の制御方法。
【請求項１０】
発着呼若しくは呼接続の成功率が劣化したカードを強制的にＡＬＭ状態に制御することを特徴とする請求項９記載の基地局無線装置の制御方法。
【請求項１１】
強制的にＡＬＭ状態に制御するとき上位局に報告することを特徴とする請求項９記載または１０記載の基地局無線装置の制御方法。
【請求項１２】
移動体通信システムに用いられる基地局無線装置の制御方法において、カード若しくはモジュールが故障してもＡＬＭ警報を発しない潜在的ＡＬＭの場合、発着呼及び呼処理の成功率を監視し、該当するカード若しくはモジュールに対し強制的にＡＬＭ状態に制御して使用中止にすることにより通信品質を劣化させないようにすることを特徴とする基地局無線装置の制御方法。
【発明の詳細な説明】
【技術分野】
【０００１】
本発明は、基地局無線装置、移動体通信システム、及び基地局無線装置の制御方法に関する。
【背景技術】
【０００２】
図７は、従来の移動体通信システムに用いられる基地局無線装置のブロック図である。
図７に示した基地局無線装置１は、３セクタの例である。基地局無線装置１はＴＲＸカードと呼ばれる無線カードをセクタ毎（ＴＲＸカード１（２−１）〜ＴＲＸカード３（２−３））と故障した場合の予備のカード（ＴＲＸカードＥ（２−Ｅ））とを具備し、ＴＲＸカード（２−１〜２−３）で周波数変換された信号の呼処理を行うＣＨカード３−１〜３−１０を具備する。
ＣＨカード３−１〜３−１０はセクタ間のソフトハンドオフ（現在通信中の基地局であるハンドオフ元と新しく通信したい基地局であるハンドオフ先とを一時的に同時通信状態にした後、切り替えることである。）を実現する為、全てのＴＲＸカード２−１〜２−Ｅと接続されているのでセクタと言う括りはないとする。ＴＲＸカード２−１〜２−３のうちのあるセクタが故障した場合、このＴＲＸカード２−１〜２−３のＡＬＭ状態を検出して予備のＴＲＸカードＥ（２−Ｅ）に切り替えて運用を継続することが出来た。
【０００３】
またＣＨカード３−１〜３−１０のいずれかが故障した場合、ＡＬＭ状態を検出して以後リセットやカード交換での復旧まで使用中止としていた。ＣＨカード３−１〜３−１０の故障は基地局無線装置１の呼処理数を減らすことになるが運用を継続するということには問題がなかった（例えば、特許文献１、２）。
【特許文献１】特開昭６３−０９０２５８号公報
【特許文献２】特開平１０−２８５２７８号公報
【発明の開示】
【発明が解決しようとする課題】
【０００４】
このように従来は故障の検出を自カード内で行い検出できた場合にのみＡＬＭ（アラーム、警報音若しくは警報ランプ点滅）と言う警報を行って予備系に切り替えたり使用禁止にしたりしていた。
【０００５】
しかし、自カードで故障であることを検出することができない場合があり、それがＴＲＸカード２−１〜２−３であった場合に該当するセクタでの運用が不可能になり、ＣＨカード３−１〜３−１０では該当するＣＨカード３−１〜３−１０を使用する時に運用できなくなり、呼接続の成功率を低下させていた。この状態は多数運用する移動通信システムの基地局無線装置１の上位局９のオペレーションシステムで監視していてもＡＬＭのような警報が出ない為、検出するのは難しく、潜在的ＡＬＭとして問題発見までに時間が掛かり故障した基地局無線装置１の配下の通信品質を劣化させていた。
【０００６】
そこで、本発明の目的は、通信品質の劣化を抑えた基地局無線装置、移動体通信システム、及び基地局無線装置の制御方法を提供することにある。
【課題を解決するための手段】
【０００７】
上記課題を解決するため、請求項１記載の発明は、移動体通信システムに用いられる基地局無線装置において、発着呼及び呼接続を監視する手段を備えたことを特徴とする。
【０００８】
請求項１記載の発明によれば、発着呼及び呼接続を監視することにより、成功率を監視することができ、成功率が低下している潜在的なカードを検出して強制的にＡＬＭ状態に制御することができるので、通信品質の劣化を抑えることができる。
【０００９】
請求項２記載の発明は、請求項１記載の発明において、発着呼若しくは呼接続の成功率が劣化したカードを強制的にＡＬＭ状態に制御する手段を備えたことを特徴とする。
【００１０】
請求項２記載の発明によれば、発着呼若しくは呼接続の成功率が劣化したカードを強制的にＡＬＭ状態に制御することにより、成功率を監視することができ、成功率が低下している潜在的なカードを検出して強制的にＡＬＭ状態に制御することができるので、通信品質の劣化を抑えることができる。
【００１１】
請求項３記載の発明は、請求項１または２に記載の発明において、強制的にＡＬＭ状態に制御するとき上位局に報告する手段を備えたことを特徴とする。
【００１２】
請求項３記載の発明によれば、強制的にＡＬＭ状態に制御するとき上位局に報告することにより、状況がいち早く現状を把握することができ、適切な処理を行うことができるので、通信品質の劣化を抑えることができる。
【００１３】
請求項４記載の発明は、移動体通信システムに用いられる基地局無線装置において、カード若しくはモジュールが故障してもＡＬＭ警報を発しない潜在的ＡＬＭの場合、発着呼及び呼処理の成功率を監視し、該当するカード若しくはモジュールに対し強制的にＡＬＭ状態に制御して使用中止にすることにより通信品質を劣化させないようにする手段を備えたことを特徴とする。
【００１４】
請求項４記載の発明によれば、カード若しくはモジュールが故障してもＡＬＭ警報を発しない潜在的ＡＬＭの場合、発着呼及び呼処理の成功率を監視し、該当するカード若しくはモジュールに対し強制的にＡＬＭ状態に制御して使用中止にすることにより通信品質の劣化を抑えることができる。
【００１５】
請求項５記載の発明は、移動局無線装置と、該移動局無線装置と通信を行う基地局無線装置とを備えた移動体通信システムにおいて、前記基地局無線装置は、発着呼及び呼接続を監視する手段を備えたことを特徴とする。
【００１６】
請求項５記載の発明によれば、発着呼及び呼接続を監視することにより、成功率を監視することができ、成功率が低下している潜在的なカードを検出して強制的にＡＬＭ状態に制御することができるので、通信品質の劣化を抑えることができる。
【００１７】
請求項６記載の発明は、請求項５記載の発明において、前記基地局無線装置は、発着呼若しくは呼接続の成功率が劣化したカードを強制的にＡＬＭ状態に制御する手段を備えたことを特徴とする。
【００１８】
請求項６記載の発明によれば、発着呼若しくは呼接続の成功率が劣化したカードを強制的にＡＬＭ状態に制御することにより、成功率を監視することができ、成功率が低下している潜在的なカードを検出して強制的にＡＬＭ状態に制御することができるので、通信品質の劣化を抑えることができる。
【００１９】
請求項７記載の発明は、請求項５または６記載の発明において、強制的にＡＬＭ状態に制御するとき上位局に報告する手段を備えたことを特徴とする。
【００２０】
請求項７記載の発明によれば、強制的にＡＬＭ状態に制御するとき上位局に報告することにより、状況がいち早く現状を把握することができ、適切な処理を行うことができるので、通信品質の劣化を抑えることができる。
【００２１】
請求項８記載の発明は、移動局無線装置と、該移動局無線装置と通信を行う移動体通信システムにおいて、前記基地局無線装置は、カード若しくはモジュールが故障してもＡＬＭ警報を発しない潜在的ＡＬＭの場合、発着呼及び呼処理の成功率を監視し、該当するカード若しくはモジュールに対し強制的にＡＬＭ状態に制御して使用中止にすることにより通信品質を劣化させないようにする手段を備えたことを特徴とする。
【００２２】
請求項８記載の発明によれば、カード若しくはモジュールが故障してもＡＬＭ警報を発しない潜在的ＡＬＭの場合、発着呼及び呼処理の成功率を監視し、該当するカード若しくはモジュールに対し強制的にＡＬＭ状態に制御して使用中止にすることにより通信品質の劣化を抑えることができる。
【００２３】
請求項９記載の発明は、移動体通信システムに用いられる基地局無線装置の制御方法において、発着呼及び呼接続を監視することを特徴とする。
【００２４】
請求項９記載の発明によれば、発着呼及び呼接続を監視することにより、成功率を監視することができ、成功率が低下している潜在的なカードを検出して強制的にＡＬＭ状態に制御することができるので、通信品質の劣化を抑えることができる。
【００２５】
請求項１０記載の発明は、請求項９記載の発明において、発着呼若しくは呼接続の成功率が劣化したカードを強制的にＡＬＭ状態に制御することを特徴とする。
【００２６】
請求項１０記載の発明によれば、発着呼若しくは呼接続の成功率が劣化したカードを強制的にＡＬＭ状態に制御することにより、成功率を監視することができ、成功率が低下している潜在的なカードを検出して強制的にＡＬＭ状態に制御することができるので、通信品質の劣化を抑えることができる。
【００２７】
請求項１１記載の発明は、請求項９または１０記載の発明において、強制的にＡＬＭ状態に制御するとき上位局に報告することを特徴とする。
【００２８】
請求項１１記載の発明によれば、強制的にＡＬＭ状態に制御するとき上位局に報告することにより、状況がいち早く現状を把握することができ、適切な処理を行うことができるので、通信品質の劣化を抑えることができる。
【００２９】
請求項１２記載の発明は、移動体通信システムに用いられる基地局無線装置の制御方法において、カード若しくはモジュールが故障してもＡＬＭ警報を発しない潜在的ＡＬＭの場合、発着呼及び呼処理の成功率を監視し、該当するカード若しくはモジュールに対し強制的にＡＬＭ状態に制御して使用中止にすることにより通信品質を劣化させないようにすることを特徴とする。
【００３０】
請求項１２記載の発明によれば、カード若しくはモジュールが故障してもＡＬＭ警報を発しない潜在的ＡＬＭの場合、発着呼及び呼処理の成功率を監視し、該当するカード若しくはモジュールに対し強制的にＡＬＭ状態に制御して使用中止にすることにより通信品質の劣化を抑えることができる。
【００３１】
本発明は自カードで故障と検出できない場合でも実際の運用上の発着呼や呼処理の成率から故障（潜在的ＡＬＭ）しているカードを推定して強制的にＡＬＭ状態に制御し使用禁止にすることにより運用に影響を与えないことを特徴とする。
【発明の効果】
【００３２】
本発明によれば、発着呼及び呼接続を監視することにより、成功率を監視することができ、成功率が低下している潜在的なカードを検出して強制的にＡＬＭ状態に制御することができるので、通信品質の劣化を抑えることができる。
【発明を実施するための最良の形態】
【００３３】
本発明は、移動体通信システムの基地局無線装置において、カードやモジュール等が故障してもＡＬＭ等の警報を発しない（潜在的ＡＬＭ）場合、発着呼や呼処理の成功率を監視し、該当するカードやモジュールを強制的にＡＬＭ等の制御を行い使用中止にすることにより通信品質の劣化を抑えたことを特徴とする。
【００３４】
〔構成の説明〕
図１は、本発明に係る基地局無線装置の制御方法を適用した基地局無線装置の一実施の形態のブロック図である。
基地局無線装置１は、移動局無線装置１０との無線通信のインターフェースとなるアンテナ４−１〜４−３、アンテナ４−１〜４−３からの入出力信号を増幅するＡＭＰカード５−１〜５−３、ＣＰカード８からの制御信号により故障時に運用するためのＴＲＸカード２−１〜２−３から予備ＴＲＸカードＥ（２−Ｅ）に切り替えるスイッチ６、スイッチ６経由のＡＭＰカード５−１〜５−３からの入出力信号を周波数変換するＴＲＸカード２−１〜２−Ｅ、ＴＲＸカード２−１〜２−Ｅからのベースバンド信号を処理（呼処理）するＣＨカード３−１〜３−１０、ＣＨカード３−１〜３−１０から呼処理データを上位局９へ送受信するＨＷＹカード７、及び全てのカードの状態を監視と制御とを行うＣＰカード８を備えている。
尚、本実施の形態ではＣＨカードの数が１０枚で、ＴＲＸカードの数が４枚で、ＡＭＰカードの数が３枚で、アンテナが３本の場合で説明するが、本発明はこれに限定されるものではない。
【００３５】
この基地局無線装置を用いた移動体通信システムにおいて、カード若しくはモジュールが故障してもＡＬＭ警報を発しない潜在的ＡＬＭの場合、発着呼及び呼処理の成功率を監視し、該当するカード若しくはモジュールに対し強制的にＡＬＭ状態に制御して使用中止にすることにより通信品質を劣化させないようにの制御されるようになっている。
【００３６】
図２は、本発明に係る基地局無線装置に用いられるＣＰカード８のブロック図の一例を示す図である。
ＣＰカード８は、各カードが自カードの状態を監視する情報を収集する手段としての状態監視部１１、発着呼や呼処理の成功率を各ＴＲＸカード２−１〜２−ＥとＣＨカード３−１〜３−１０毎に集計する呼処理監視部１２、呼処理監視部１２により集計された発着呼や呼処理の成功率が設定された閾値以上であるか否を確認する判定部１３、判定部１３により閾値以下になったと判定されたカードを強制的にＡＬＭ状態に制御する手段としての制御部１４、及び各カードの状態をＨＷＹカード７経由で上位局９に報告する手段としての報告部１５を備えている。
【００３７】
上位局９は、多数の基地局無線装置１を配下に持ち、基地局無線装置間の通信を仲介し監視する機能を備えている。
【００３８】
〔動作の説明〕
図２〜６を参照して本実施形態の動作について詳細に説明する。
図３は、図１に示した基地局無線装置の呼処理の遷移図である。図４は、図１に示した基地局無線装置における発呼時の受付数及び成功率と、時間との関係を示す図であり、図４において左縦軸が受付数を示し、右縦軸が成功率を示し、横軸が時間を示す。図５は、図１に示した基地局無線装置における着呼時の受付数及び成功率と、時間との関係を示す図であり、図５において左縦軸が着呼受付数を示し、右縦軸が成功率を示し、横軸が時間を示す。図６は、図１に示した基地局無線装置における呼接続時の受付数及び成功率と、時間との関係を示す図であり、図６において左縦軸が受付数を示し、右縦軸が成功率を示し、横軸が時間を示す。
【００３９】
移動局無線装置１０が基地局無線装置１に対して発呼する。
ＣＰカード８の呼処理監視部１２にＣＨカード３−１〜３−１０から使用したセクタ番号（ＴＲＸカード２−１〜２−Ｅの番号）とＣＨカード３−１〜３−１０の番号とが通知される。
ＣＤＭＡ通信システムの場合ＴＲＸカード２−１〜２−３を通る無線信号ではユーザーの信号がわからない為、逆拡散後のＣＨカード３−１〜３−１０から情報を入手することになる。
ここで、ＣＤＭＡとはCode Division Multiple Accessの略語で、符号分割多重接続の意味であり、携帯電話を含む無線通信に用いられる方式の一種である。
【００４０】
呼処理監視部１２では該当するＴＲＸカード２−１〜２−３とＣＨカード３−１〜３−１０との発呼の受付数をカウントする。この発呼処理がＨＷＹカード７経由の上位局９とのやり取りが正常に終わり呼接続となると発呼の成功数と呼接続の受付数をカウントする。この呼接続が正常に終話すると呼接続の成功数をカウントする。
【００４１】
着呼の場合は、基地局無線装置１が移動局無線装置１０に対して送信する（着呼をかける）。
ＣＰカード８の呼処理監視部１２にＣＨカード３−１〜３−１０から使用したセクタ番号（ＴＲＸカード２−１〜２−３の番号）とＣＨカード３−１〜３−１０の番号が通知される。
呼処理監視部１２では該当するＴＲＸカード２−１〜２−３とＣＨカード３−１〜３−１０の着呼の受付数をカウントする。この着呼処理がＨＷＹカード７経由の上位局９との間の信号の授受が正常に終わり呼接続となると着呼の成功数と呼接続の受付数とをカウントする。この呼接続が正常に終話すると呼接続の成功数をカウントする。判定部１３のカウント数は表１、２の様に集計される。尚、表１、２には説明を簡単にするため、数値は記入されていない。
【００４２】
【表１】
2008227618.tif 000003
【００４３】
【表２】
2008227618.tif 000004
【００４４】
ＣＰカード８の判定部１３は、常に呼処理監視部１２の受付数と成功数とから成功率を算出し、あらかじめ設定された閾値と比較する。
呼処理監視部１２の成功率は表３、表４の様に表される。尚、表３、４には説明を簡単にするため、数値は記入されていない。
【００４５】
【表３】
2008227618.tif 000005
【００４６】
【表４】
2008227618.tif 000006
【００４７】
成功率が閾値を下回った場合、該当するカードの番号を制御部１４に入力する。制御部１４は入力されたカード番号を元に強制ＡＬＭの制御を行い、予備系のＴＲＸカード２−Ｅに切り替え、実施したカード番号を報告部１５に報告する。報告部１５はＨＷＹカード７を経由して上位局９のオペレーションシステムに知らせることが出来る。
【００４８】
以下、あるＴＲＸカード２−１〜２−３が運用途中で検出できない故障を発生した場合について図４〜６を用いて具体的に説明する。
図４は、発呼の受付が出来なくなった場合の一例を示している。その為、受付数がゼロとなり成功率も０％となっている。（受付数がゼロの時成功率は算出できないがこの場合成功率は０％とする）受付数の閾値の設定は基地局装置毎に異なる。
【００４９】
図５は、着呼の成功率が低下した場合の一例である。受付数があるが成功率が低下していることが分かる。
【００５０】
図６は、呼接続の成功率が低下した場合の一例である。受付数があるが成功率が低下している。
【００５１】
以上のような状態を検出した場合、ＣＰカード８の判定部１３が潜在的ＡＬＭと判定して制御部１４が該当するＴＲＸカード２−１〜２−３を強制的にＡＬＭ状態に制御し、予備系のＴＲＸカード２−Ｅに切り替える。これにより発着呼の受付数や成功率、呼接続の受付数や成功率は正常値に戻る。また上位局９に報告することにより、上位局９は、現状を把握することができカードの交換の必要性を要求することが出来る。
【００５２】
〔発明の効果の説明〕
本発明によれば、発着呼や呼接続の成功率を監視し、成功率が低下している潜在的なＡＬＭカードを検出し強制的にＡＬＭさせることにより通信品質を劣化させないことが出来る。
【００５３】
なお、上述した実施の形態は、本発明の好適な実施の形態の一例を示すものであり、本発明はそれに限定されることなく、その要旨を逸脱しない範囲内において、種々変形実施が可能である。例えば、上位局間のインターフェースをもつＨＷＹカードの監視をして上位通信網の劣化状態を検出した場合、使用する通信経路を選択すること等にも応用出来る。
【産業上の利用可能性】
【００５４】
本発明は、自動車、船舶、航空機等の移動体を対象とする移動体通信システムに利用できる。
【図面の簡単な説明】
【００５５】
【図１】本発明に係る基地局無線装置の制御方法を適用した基地局無線装置の一実施の形態のブロック図である。
【図２】本発明に係る基地局無線装置に用いられるＣＰカード８のブロック図の一例を示す図である。
【図３】図１に示した基地局無線装置の呼処理の遷移図である。
【図４】図１に示した基地局無線装置における発呼時の受付数及び成功率と、時間との関係を示す図である。
【図５】図１に示した基地局無線装置における着呼時の受付数及び成功率と、時間との関係を示す図である。
【図６】図１に示した基地局無線装置における呼接続時の受付数及び成功率と、時間との関係を示す図である。
【図７】従来の移動体通信システムに用いられる基地局無線装置のブロック図である。
【符号の説明】
【００５６】
１    基地局無線装置
２−１〜２−３    ＴＲＸカード
２−Ｅ    予備ＴＲＸカード
３−１〜３−１０    ＣＨカード
４−１〜４−３    アンテナ
５−１〜５−３    ＡＭＰカード
６    スイッチ
７    ＨＷＹカード
８    ＣＰカード
９    上位局
１０    移動局無線装置
１１    状態監視部
１２    呼処理監視部
１３    判定部
１４    制御部
１５    報告部
【図１】
2008227618.tif 000007
【図２】
2008227618.tif 000008
【図３】
2008227618.tif 000009
【図４】
2008227618.tif 000010
【図５】
2008227618.tif 000011
【図６】
2008227618.tif 000012
【図７】
2008227618.tif 000013